(57)【要約】【課題】  連写可能な枚数を分かり易く表示し、使い勝手の良いカメラを提供する。【解決手段】  静止画像を記憶する画像記録媒体を有するカメラにおいて、静止画像を撮像する撮像手段と、一時的に複数の静止画像を記憶可能な記憶手段と、撮像手段を連続的制御する連写制御手段と、連写が途切れることなく、連続で何枚程度撮影可能かを算出する演算手段とを有し、バースト枚数を視覚的にアナログ的に表示する。【選択図】  図１
2005136655.tif 000002
【特許請求の範囲】
【請求項１】
静止画像を記憶する画像記録媒体を有するカメラにおいて、
静止画像を撮像する撮像手段と、
一時的に複数の静止画像を記憶可能な記憶手段と、
該撮像手段を連続的制御する連写制御手段と、
連写が途切れることなく、連続で何枚程度撮影可能かを算出する演算手段とを有し、
該バースト枚数を視覚的にアナログ的に表示することを特徴とするカメラ。
【請求項２】
前述のアナログ的な表示は、ドットを並べた形の表示であり、カメラの露出補正の表示もしくは、調光補正の表示と表示部材を共通にすることを特徴とする請求項1記載のカメラ。
【請求項３】
前記演算手段は、前記記憶手段の空き記憶容量と、静止画像を撮像し該記憶手段に取り込むスピードと、該記憶手段から画像データを前述の画像記録媒体に転送するスピードとを元に算出することを特徴とする請求項1記載のカメラ。
【請求項４】
前記演算手段は、該記憶手段の空き記憶容量と該記憶手段から画像データを画像記録媒体の空き記憶容量を元に算出することを特徴とする請求項1記載のカメラ。
【請求項５】
該記憶手段の空き記憶容量から求められるバースト枚数を、第1のアナログ的表示に、該画像記録媒体の空き記憶容量から求められるバースト枚数を、第２のアナログ的表示にすることを特徴とする請求項1記載のカメラ。
【請求項６】
第1のアナログ的表示をカメラの露出補正の表示、第２のアナログ的表示をカメラの調光補正の表示と表示部材を兼ねるか、もしくはそれぞれを逆の表示部材と兼ねることを特徴とする請求項５記載のカメラ。
【請求項７】
該記憶手段と該画像記録媒体との間には、他の記憶手段を有し、該記憶手段に記憶された画像は、前記他の記憶手段に一時的に転送されてから、前記他の記憶手段から該画像記録媒体に転送されることを特徴とする請求項1記載のカメラ。
【請求項８】
前記演算手段は、該記憶手段の空き記憶容量と、静止画像を撮像し該記憶手段に取り込むスピードと、該記憶手段から画像データを前記他の記憶手段に転送するスピードとを元に算出することを特徴とする請求項７記載のカメラ。
【請求項９】
前記演算手段は、該記憶手段の空き記憶容量と該記憶手段から画像データを前記他の記憶手段の空き記憶容量を元に算出することを特徴とする請求項７記載のカメラ。
【請求項１０】
記憶手段の空き記憶容量から求められるバースト枚数を、第1のアナログ的表示に、該他の記憶手段の空き記憶容量から求められるバースト枚数を、第２のアナログ的表示にすることを特徴とする請求項1記載のカメラ。
【請求項１１】
第1のアナログ的表示をカメラの露出補正の表示、第２のアナログ的表示をカメラの調光補正の表示と表示部材を兼ねるか、もしくはそれぞれを逆の表示部材と兼ねることを特徴とする請求項１０記載のカメラ。
【請求項１２】
該バースト枚数の表示を連写継続時間として、表示することを特徴とする請求項１〜１１記載のカメラ。
【請求項１３】
請求項１〜１２記載のカメラにおける撮影情報の表示方法。
【請求項１４】
画像データを記録媒体に記録可能なカメラにおいて、
被写体像を撮像する撮像手段と、
該撮像手段によって生成された画像データを一時的に記憶する記憶手段と、
少なくとも前記記憶手段の記憶容量に基づいて、連続撮影によって得られる画像データのうち前記記録媒体に記録できる画像データの枚数を演算する演算手段と、
該演算手段によって演算された画像データの枚数に関する情報を表示する表示手段とを有することを特徴とするカメラ。
【発明の詳細な説明】
【技術分野】
【０００１】
本発明は、画像を電気的に記憶するデジタルカメラ等のカメラ、特に連続的に撮像する場合の連続撮影可能枚数の表示方法に関するものである。
【背景技術】
【０００２】
従来、デジタルカメラやデジタルビデオ等の撮像装置においては、撮影データを一旦内蔵のバッファメモリに蓄積し、その後各種処理を施しながら逐次記憶媒体あるいは直接外部インターフェースに出力する方式が取られている。しかし、この手法によると、連写撮影時には内蔵バッファメモリへの蓄積に比して、記憶媒体へのデータ転送速度やアクセス速度等が遅いために律速するという現象が起こる。
【０００３】
すなわち、撮像装置の連写枚数は内蔵バッファメモリ容量によって左右され、バッファメモリがフルに使用されている状態では撮影不可となる。そこで、操作者に現在何枚連写可能かの情報を把握させるために、外部液晶画面に連写可能枚数あるいはバッファメモリ使用量を表わすインジケータを表示する製品が現れてきている。
【０００４】
内蔵バッファメモリの記憶状態をファインダー内に表示し、撮影者に何枚連写が出来るかがわかりやすく表示しようという提案がなされている（例えば、特許文献１参照）。
【０００５】
撮像した画像を記録再生するモニタに内蔵バッファメモリの記憶状態に対応して複数の撮像画像を分割表示することにより、特別な表示部分を用いることなく撮影者に何枚連写が出来るかをわかりやすく表示しようという提案がなされている（例えば、特許文献２参照）。
【０００６】
また、最近のデジタルカメラの製品では、内蔵バッファメモリの空き容量に内蔵バッファメモリから画像記録媒体への転送スピード等を考慮して、何枚連写できるかを予想し、ファインダー内に枚数を表示するものまで現れている
【特許文献１】特開2000-152038号公報
【特許文献２】特開2001-320608号公報
【発明の開示】
【発明が解決しようとする課題】
【０００７】
しかしながら、特許文献１では、連写が始まると連写が終わるまでは、内蔵バッファメモリから画像記録媒体への転送を許可していない。このため、連写枚数を多くするためには、内蔵バッファメモリをひたすら、容量アップする以外になく、コストや実装面積の面で、大きな課題が残っている。それに対し、特許文献２や前述のデジタルカメラの製品では、連写が始まっても、内蔵バッファメモリから画像記録媒体への転送は、行なわれるようになっているため、連写枚数を内蔵バッファメモリの容量以上にかせぐことができ、画像記録媒体への転送スピードや、画像の圧縮率等によっては、大きく連写枚数を増やすことが可能で、撮影者にとって使いやすいカメラとなる。
【０００８】
ところが、特許文献２では、バッファメモリの空き容量をモニタに表示しているだけで、内蔵バッファメモリから画像記録媒体への転送スピード等を考慮していないため、連写を始める時点で、あと何枚連写できるかを表示しているわけではなく、撮影者にはあと何枚連写できるかはわからない。
【０００９】
また最近のデジタルカメラの製品は、何枚連写できるかを予想して、ファインダー内に枚数を表示しているが、枚数を表示しているため、連写可能な最小限の枚数を表示しており、撮影者がまだ撮れると思ったのに撮れなかったということが、有りえないようにしており、その結果実際に撮れる枚数とはかけ離れた枚数になることが、しばしばであり、その点では撮影者にとって、使いづらいカメラとなっている。
【００１０】
また、ファインダー内に枚数を表示しなくてはいけないため、これまでになかった特別な表示を追加しなくてはいけないため、これまでにあったファインダー内の表示を圧迫し、これまでにあった表示が小さくなってしまうという問題点もあった。
【課題を解決するための手段】
【００１１】
本発明実施のカメラは、第1に、静止画像を記憶する画像記録媒体を有する撮像装置において、静止画像を撮像する撮像手段と、一時的に複数の静止画像を記憶可能な第１の一時記憶手段と、該撮像手段を連続的制御する連写制御手段と、連写が途切れることなく、連続で何枚程度撮影可能かを算出する演算手段とを有し、該バースト枚数を視覚的にアナログ的に表示することを特徴とするカメラを提案している。
【００１２】
また、画像データを記録媒体に記録可能なカメラにおいて、被写体像を撮像する撮像手段と、該撮像手段によって生成された画像データを一時的に記憶する記憶手段と、少なくとも前記記憶手段の記憶容量に基づいて、連続撮影によって得られる画像データのうち前記記録媒体に記録できる画像データの枚数を演算する演算手段と、該演算手段によって演算された画像データの枚数に関する情報を表示する表示手段とを有することを特徴とする。
【００１３】
請求項２においては、前述のアナログ的な表示は、ドットを並べた形の表示であり、カメラの露出補正の表示と表示部材を共通にすることを特徴とする請求項1記載のカメラを提案している。
【００１４】
請求項３においては、前述の演算手段は、該第１の一時記憶手段の空き記憶容量と、静止画像を撮像し該第１の一時記憶手段に取り込むスピードと、該第１の一時記憶手段から画像データを前述の画像記録媒体に転送するスピードとを元に算出することを特徴とする請求項1記載のカメラを提案している。
【００１５】
請求項４においては、前述の演算手段は、該第１の一時記憶手段の空き記憶容量と該第１の一時記憶手段から画像データを前述の画像記録媒体の空き記憶容量を元に算出することを特徴とする請求項1記載のカメラを提案している。
【００１６】
請求項５においては、該第１の一時記憶手段の空き記憶容量から求められるバースト枚数を、第1のアナログ的表示に、該画像記録媒体の空き記憶容量から求められるバースト枚数を、第２のアナログ的表示にすることを特徴とする請求項1記載のカメラを提案している。
【００１７】
請求項６においては、第1のアナログ的表示をカメラの露出補正の表示、第２のアナログ的表示をカメラの調光補正の表示と表示部材を兼ねるか、もしくはそれぞれを逆の表示部材と兼ねることを特徴とする請求項５記載のカメラを提案している。
【００１８】
請求項７においては、該第１の一時記憶手段と該画像記録媒体との間には、第２の一時記憶手段を有し、該第１の一時記憶手段に記憶された画像は、第２の一時記憶手段に一時的に転送されてから、第２の一時記憶手段から該画像記録媒体に転送されることを特徴とする請求項1記載のカメラを提案している。
【００１９】
請求項８においては、前述の演算手段は、該第１の一時記憶手段の空き記憶容量と、静止画像を撮像し該第１の一時記憶手段に取り込むスピードと、該第１の一時記憶手段から画像データを前述の第２の一時記憶手段に転送するスピードとを元に算出することを特徴とする請求項７記載のカメラを提案している。
【００２０】
請求項９においては、前述の演算手段は、該第１の一時記憶手段の空き記憶容量と該第１の一時記憶手段から画像データを第２の一時記憶手段の空き記憶容量を元に算出することを特徴とする請求項７記載のカメラを提案している。
【００２１】
請求項１０においては、該第１の一時記憶手段の空き記憶容量から求められるバースト枚数を、第1のアナログ的表示に、該第２の一時記憶手段の空き記憶容量から求められるバースト枚数を、第２のアナログ的表示にすることを特徴とする請求項1記載のカメラを提案している。
【００２２】
請求項１１においては、第1のアナログ的表示をカメラの露出補正の表示、第２のアナログ的表示をカメラの調光補正の表示と表示部材を兼ねるか、もしくはそれぞれを逆の表示部材と兼ねることを特徴とする請求項１０記載のカメラを提案している。
【００２３】
請求項１２においては、該バースト枚数の表示を連写継続時間として、表示することを特徴とする請求項１〜１１記載のカメラを提案している。
【００２４】
請求項１３においては、請求項１〜１２記載のカメラにおける撮影情報の表示方法を提案している。アナログ的な表示は、もちろんドットでも良いが、針式の表示等でもよい。
【００２５】
本発明により、撮影者はいつでも、あとどの程度連写出来るかが、表示されているため、使いやすいカメラを実現でき、また、表示手段は、従来の表示と兼ねることで、表示が増えて煩雑になることも無く、さらに使いやすいカメラ及び表示方法を提案するものである。
【発明の効果】
【００２６】
本発明では、バースト撮影枚数並びにバースト撮影連写時間を視覚的アナログ的に表示することで、撮影者にとって使いやすく、不確定要素によって枚数が変化しても違和感も少ないカメラ及び表示方法を提供した。
【発明を実施するための最良の形態】
【００２７】
以下、本発明の実施例について説明する。
【実施例１】
【００２８】
以下、図面を参照して本発明の実施例１を説明する。図１は、本発明の実施例の構成を示す図である。
【００２９】
図1において、１００はカメラの主要ブロックである。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００３０】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、 Ａ／Ｄ変換器１６からのデータ或いはメモリ制御回路２２からのデータに対して所定の画素補間処理や色変換処理を行う。
【００３１】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００３２】
さらに、画像処理回路２０においては、撮像した画像データを用いて所定の演算処理を行い、得られた演算結果に基づいてTTL方式のAWB（オートホワイトバランス）処理も行っている。
【００３３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３４】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３５】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００３６】
画像表示部２８を用いて撮像した画像データを逐次表示すれば、電子ファインダー機能を実現することが可能である。
【００３７】
また、画像表示部２８は、システム制御回路５０の指示により任意に表示をON/OFFすることが可能であり、表示をOFFにした場合にはカメラの主要ブロック１００の電力消費を大幅に低減することが出来る。
【００３８】
３０は撮影した静止画像や動画像を格納するためのメモリであり、所定枚数の静止画像や所定時間の動画像を格納するのに十分な記憶量を備えている。これが、第１の一時記憶手段となる。また、メモリー３０は、分割されて第１の一時記憶手段と第２の一時記憶手段となることもある。
【００３９】
これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００４０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００４１】
４０は絞り機能を備えるシャッター１２を制御する露光制御手段であり、フラッシュ４８と連携することによりフラッシュ調光機能も有するものである。
【００４２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４３】
４８はフラッシュであり、AF補助光の投光機能、フラッシュ調光機能も有する。露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００４４】
５０はカメラの主要ブロック１００全体を制御するシステム制御回路、５２はシステム制御回路５０の動作用の定数、変数、プログラム等を記憶するメモリである。
【００４５】
５４はシステム制御回路５０でのプログラムの実行に応じて、文字、画像、音声等を用いて動作状態やメッセージ等を表示する液晶表示装置、スピーカー等の表示部であり、カメラの主要ブロック１００の操作部近辺の視認し易い位置に単数或いは複数個所設置され、例えばLCDやLED、発音素子等の組み合わせにより構成されている。
【００４６】
また、表示部５４は、その一部の機能が光学ファインダー１０４内に設置されている。表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、日付・時刻表示、等がある。
【００４７】
また、表示部５４の表示内容のうち、光学ファインダー１０４内に表示するものとしては、合焦表示、フラッシュ充電表示、シャッタースピード表示、絞り値表示、露出補正表示、等がある。
【００４８】
５６は電気的に消去・記録可能な不揮発性メモリであり、例えばEEPROM等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４９】
ここで、これらの操作手段の具体的な説明を行う。
【００５０】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００５１】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００５２】
６４はシャッタースイッチSW2で、不図示のシャッターボタンの操作完了でONとなり、撮像素子１４から読み出した信号をＡ／Ｄ変換器１６、メモリ制御回路２２を介してメモリ30に画像データを書き込む露光処理、画像処理回路２０やメモリ制御回路２２での演算を用いた現像処理、画像データを読み出し、圧縮・伸長回路３２で圧縮を行い、記録媒体２００に画像データを書き込む記録処理という一連の処理の動作開始を指示する。
【００５３】
６６は画像表示ON/OFFスイッチで、画像表示部２８のON/OFFを設定することが出来る。この機能により、光学ファインダー１０４を用いて撮影を行う際に、TFT LCD等から成る画像表示部への電流供給を遮断することにより、省電力を図ることが可能となる。
【００５４】
６８はクイックレビューON/OFFスイッチで、撮影直後に撮影した画像データを自動再生するクイックレビュー機能を設定する。なお、本実施例では特に、画像表示部２８をOFFとした場合におけるクイックレビュー機能の設定をする機能を備えるものとする。
【００５５】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５６】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５７】
８２はコネクタ、８４はコネクタ、８６はアルカリ電池やリチウム電池等の一次電池やNiCd電池やNiMH電池、Li電池等の二次電池、ACアダプター等からなる電源手段である。
９０はメモリカードやハードディスク等の記録媒体とのインタフェース、９２はメモリカードやハードディスク等の記録媒体と接続を行うコネクタ、９８はコネクタ９２及び或いは９６に記録媒体２００が装着されているか否かを検知する記録媒体着脱検知手段である。
【００５８】
なお、本実施例では記録媒体を取り付けるインタフェース及びコネクタを１系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５９】
インタフェース及びコネクタとしては、PCMCIAカードやCF（コンパクトフラッシュ(登録商標)）カード等の規格に準拠したものを用いて構成して構わない。
【００６０】
１０２は、カメラの主要ブロック１００のレンズ１０を含む撮像部を覆う事により、撮像部の汚れや破損を防止するバリアである保護手段である。
【００６１】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、フラッシュ充電表示、シャッタースピード表示、絞り値表示、露出補正表示などが設置されている。２００はやハードディスク等の記録媒体である。
【００６２】
記録媒体２００は、半導体メモリや磁気ディスク等から構成される記録部２０２、カメラの主要ブロック１００とのインタフェース２０４、カメラの主要ブロック１００と接続を行うコネクタ２０６を備えている。
【００６３】
図2は実施例１の動作を示すフローチャートである。
【００６４】
[#101]システム制御回路５０は、まず、６０、６２、６４、６６、６８及び７０の操作部材の設定を読み取る。
【００６５】
[#102]各操作部材の設定や操作によって、システム制御回路５０は、カメラの各動作モード等を決定する。例えば、連写の駒速もここで決定する。このカメラでは、撮影者がレリーズ釦を押しこむ毎にしか露光動作を行なわない単写モードと、撮影者がレリーズ釦を押し込んでいる間、連続的に露光動作を行なう連写モードを選択できる。さらに連写モードにおいては、1秒間に連続的に何駒の露光動作を行なうことができるかの駒速を、秒間1駒から秒間１０駒まで、１駒毎に選択できるようになっている。すなわち撮影者は、自由に撮影駒速を選ぶことができるのである。
【００６６】
またここでは、画像を記録媒体２００に記録するときの圧縮率の設定も行なわれる。圧縮率は高くないが画質を劣化させない可逆圧縮（ＲＡＷデータ）と、ＪＰＥＧと呼ばれる、非可逆圧縮の方は、圧縮率を３段階に選択できるようになっていて、合わせて4段階の圧縮率が選べるようになっている。
【００６７】
さらに、露出補正値を１／３段刻みで、プラスマイナス３段まで設定できる。またそれとは、独立にストロボ撮影時に発光量の補正値（調光補正値）も１／３段刻みで、プラスマイナス３段まで設定できる。
【００６８】
図３には、光学ファインダー１０４内の表示を示す。
【００６９】
３００は、ファインダーの画面で被写体像が見えている。３０１は、ストロボの充完を示す記号であり、このマークが見えているときは、ストロボが充電完了しており、露光と同時にストロボが発光することになる。３０２は、シャッタースピードを示し、図では１／１２５のシャッタースピードで、露光が行なわれることを示している。３０３は、絞り値を示し、図では絞りｆ５．６で露光が行なわれることを示している。
【００７０】
３０２、３０３の指示値は、実際には#104での測光動作の後で決定し、表示される。３０４は、ＩＳＯ感度を示し撮像素子１４から読み出した後のゲインを変えることで、ＩＳＯ感度を変更できるため、表示をしている。図では、ＩＳＯ１００を示している。
【００７１】
３０６は、画像の記録時の圧縮率を示し、ＲＡＷデータで記録するか、ＪＰＥＧで記録するかを示している。ＪＰＥＧの３段階の圧縮率までは表示していないが、ＲＡＷかＪＰＥＧかは、一目でわかるように表示している。図では、ＪＰＥＧが選択されている。３０７は、露出補正、調光補正の補正値を示すためのスケールである。真中の大きな指標が±０を示し、３つ毎の大きめの指標が、１段を示している。ちいさな指標は１／３段を示す。上に行くほど、露出オーバー側の補正であり、プラス３段までを表示できる。下に行くほど、露出アンダー側の補正であり、マイナス３段までを表示できる。
【００７２】
３０８は、露出補正値を示すドットである。図では、±０を示している。３０９は、調光補正値を示すドットであり、図では、プラス１段を示している。
【００７３】
[#103]システム制御回路５０は、レリーズ釦の半押しでＯＮするSW1の状態を判別し、ｏｆｆであれば、#101に戻る。ｏｎであれば、#104以下に進む。
【００７４】
[#104]SW1がｏｎであれば、露光動作準備状態であるので、システム制御回路５０は、露光制御手段４０、測距制御手段４２に対して制御を行い、測距（オートフォーカス）処理、測光（自動露出）処理を行なう。
【００７５】
[#105]システム制御回路５０は、メモリ３０の第１の一時記憶手段の空き記憶容量を調べる。
【００７６】
[#106]システム制御回路５０は、画像記録媒体２００の空き記憶容量を調べる。
【００７７】
[#107]システム制御回路５０は、連写が途切れることなく何駒程度可能であるかというバースト枚数を演算によって求め、表示を行なう。バースト枚数の演算は、以下のように行なう。
【００７８】
#105で求められたメモリ３０の第１の一時記憶手段の空き記憶容量Ｖ１と画像サイズＳ１から、何駒記憶できるかＢ１を演算する。
Ｂ１  ←  Ｖ１／Ｓ１
この画像サイズＳ１は、撮像素子１４から読み出してきた画像データをそのままメモリ３０の第１の一時記憶手段に記憶するものなので、撮像素子１４の画素サイズと同等である。
【００７９】
次に、#102で決定された駒速ｋ（ｋ＝１〜１０）から、第１の一時記憶手段の空きに、時間Ｔ１で埋まってしまうかを求める。
Ｔ１  ←  Ｂ１／ｋ
この時間Ｔ１の間には、システム制御回路５０は、メモリ３０の第１の一時記憶手段から、画像処理回路２０やメモリ制御回路２２を用いた現像処理、圧縮・伸長回路３２を用いた圧縮処理を行なって、画像記録媒体２００に画像データを記録保存を行なうため、記録保存が完了した画像データの分は、メモリ３０の第１の一時記憶手段に空きが発生する。
【００８０】
この第１の一時記憶手段から画像記録媒体２００への転送処理が1秒間に何駒できるかのスピードをｇとすると、時間Ｔ１の間に第１の一時記憶手段に発生する空きに何駒記憶できるかというＢ２は、
Ｂ２  ←  Ｔ１×ｇ
となる。
【００８１】
このＢ１とＢ２を足し合わせたＢＡを求める。
ＢＡ  ←  Ｂ１＋Ｂ２
ところが、画像記録媒体２００に画像データを記憶する空き容量が少ないときは、求められたＢＡの駒数を記憶することができない。そこで、#106で求められた画像記録媒体２００の空き記憶容量ＶＣと画像サイズＳ２から、何駒記憶できるかのＢＣを演算する。
ＢＣ  ←  ＶＣ／Ｓ２
この画像サイズＳ２は、圧縮・伸長回路３２を用いた圧縮処理を行なっているため、圧縮率によって異なるサイズになるばかりか、どんな画像かによって、サイズが大きく異なるものである。よって画像記録媒体２００の空き記憶容量ＶＣは、実際の空き記憶容量よりマージンをとって小さく見積もっておき、画像圧縮後の予想サイズよりも大きな画像サイズとなっても、画像記録媒体２００に記録できなくなるようなことがないようにすることが、既に提案されている。
【００８２】
そして、求められたＢＡとＢＣの小さい方を選ぶことで、バースト枚数として、撮影者にわかるように表示を行なう。
【００８３】
表示した例を図４によって説明する。図４では図３からまず３１０の表示が増えている。これはバースト枚数を示してますという表示であり、この表示が出ているときは、３０９のドットがバースト枚数を示すということになる。その３０９は、図３のときと表示が異なっており、下から棒グラフのように伸びた形をなしている。スケールの３０７は、図３と同じであるが、露出補正で１段を示していた大き目の指標が、バースト枚数では５駒ということになる。よって、図では、バースト枚数は２５駒程度ということになる。
【００８４】
ここで、程度という表現を用いたのは、前述したようにバースト枚数を求める中で、圧縮後の画像サイズ等の不確定なものを演算に用いているためで、２５駒といっても、もっと増える可能性もあるし、減る可能性もある。駒数を２５と数字で表示してしまうと、この不確定な要素のために、１駒とったのに枚数が減らなかったり、また２５駒と表示しているのに、２４駒しか連写できなかったりすると、撮影者にとっては不快感を感じてしまう。
【００８５】
ところが、このドットによるアナログ的な表現であれば、２５駒程度と表しているだけであるので、１駒とってもドットが減らなくても、違和感はなく、２５駒程度と表示していて、２４駒しか連写できなかったとしても、撮影者には不快感はあたえず、許容範囲といえる。
【００８６】
[#108]バースト枚数が０枚であるならば、露光を行なうことはできないので、その旨の表示を行い、#103に戻る。バースト枚数が0枚以外であれば露光できるということなので、#109以下に進む。
【００８７】
[#109]システム制御回路５０は、レリーズ釦の全押しでＯＮするSW2の状態を判別し、ｏｆｆであれば、#103に戻る。ｏｎであれば、露光動作の#110以下に進む。
【００８８】
[#110]システム制御回路５０は、露光制御手段４０を制御し、撮像素子１４への露光を行なう。
【００８９】
[#111]システム制御回路５０は、撮像素子１４から読み出した信号をＡ／Ｄ変換器１６、メモリ制御回路２２を介してメモリ30の第1の一時記憶手段に画像データを書き込む
[#112]システム制御回路５０は、メモリ30の第1の一時記憶手段に記憶された画像データを、画像処理回路２０やメモリ制御回路２２での演算を用いた現像処理を行い、圧縮・伸長回路３２で圧縮を行い、画像記録媒体２００に画像データを転送記録処理の動作開始する。
【００９０】
このフローの#112では、この現像＆圧縮＆転送記録の処理動作を開始するものであり、その動作を継続しながら、#103〜#112までの処理をも行う。すなわち、レリーズ釦の全押しでＯＮするSW2が押されっぱなしであれば、露光動作を駒速ｋで行いながら、現像＆圧縮＆転送記録の処理をスピードｇで行い続けることとなる
このように、実施例１においては、連写時のバースト枚数を調光補正のドットと表示部材を兼ねながら、アナログ的な表示にしたために、撮影者にとって使いやすいカメラ及び表示方法を実現したものである。
【実施例２】
【００９１】
次に本発明の実施例２を説明する。実施例１と同様の部分は説明を省略し、異なる部分のみを説明するものとする。
【００９２】
実施例２では、メモリ３０が、第１の一時記憶手段の部分と第２の一時記憶手段の部分とに分けられており、撮像素子１４から読み出してきた画像データをそのままメモリ３０の第１の一時記憶手段に記憶されるところは、実施例１と同じであり、第1の一時記憶手段に記憶された画像データを、現像＆圧縮するところまでも同じであるが、圧縮処理まで終えた画像データを画像記録媒体２００に直接転送記録処理するところを、メモリ３０の第２の一時記憶手段に一時記憶し、その第２の一時記憶手段にある画像データを画像記録媒体２００に転送する。
【００９３】
ここで、#107のバースト枚数の予想演算は以下のようになる。まず、第１の一時記憶手段に何駒記憶できるかのＢ１は、実施例1と同様である。
Ｂ１  ←  Ｖ１／Ｓ１
次に、駒速ｋ（ｋ＝１〜１０）から、第１の一時記憶手段の空きに、埋まる時間Ｔ１は、実施例1と同様である。
Ｔ１  ←  Ｂ１／ｋ
次に時間Ｔ１の間に、システム制御回路５０は、メモリ３０の第１の一時記憶手段から、画像処理回路２０やメモリ制御回路２２を用いた現像処理、圧縮・伸長回路３２を用いた圧縮処理を行なって、メモリ３０の第２の一時記憶手段に転送を行なうが、この転送処理の１秒間に何駒できるかのスピードは、ｈとすると、時間Ｔ１の間に第１の一時記憶手段に発生する空きに何駒記憶できるかというＢ３は、
Ｂ３  ←  Ｔ１×ｈ
となる。
【００９４】
ところが、メモリ３０の第２の一時記憶手段に空き容量が少ないと、実際には、求められたＢ３駒ほど、記憶ができない。第２の一時記憶手段の空き容量をＶ２とすると、第２の一時記憶手段に記憶できる残り枚数Ｂ４は、
Ｂ４  ←  Ｖ２／Ｓ２
そこで、Ｂ３とＢ４の小さい方を、ＢＭとする
ＢＭ  ←  min(Ｂ３、Ｂ４)
このＢ１とＢＭを足し合わせたＢＡを求める
ＢＡ  ←  Ｂ１＋ＢＭ
ところが、ここでも画像記録媒体２００に画像データを記憶する空き容量が少ないときは、求められたＢＡの駒数を記憶することができない。そこで、#106で求められた画像記録媒体２００の空き記憶容量ＶＣと画像サイズＳ２から、何駒記憶できるかのＢＣを演算する。
ＢＣ  ←  ＶＣ／Ｓ２
そして、求められたＢＡとＢＣの小さい方を選ぶことで、バースト枚数として、撮影者にわかるように表示を行なう。
【００９５】
この表示については、実施例１のような表示でもよいが、表示についても別の表示方法を図５において説明する。
【００９６】
図５では、露出補正のドット３０８と調光補正のドット３０９がそれぞれバースト枚数を示す表示に切り替わっている。スケール３０７の左横には、バースト枚数が良くわかるように、１０、２０、３０枚という意味の数字が表示されている（３１１）。そして左側のドット３０８にはＢ１を表示するようにしている。右側のドット３０９には、ＢＭを表示するようにしている。
【００９７】
よって、撮影者は、ドット３０８とドット３０９を足し合わせたものが、バースト枚数と理解すればよく、この図の場合は、ドット３０８が２５枚程度で、ドット３０９が６枚程度なので、合わせてバースト枚数は３１枚程度である。
【００９８】
画像記録媒体２００に何駒記憶できるかというＢＣが、ＢＡより小さくなったときは、Ｂ１を表示しているドット３０８とＢＭを表示しているドット３０９を足し合わせた駒数が、ＢＣを超えないように、ドット３０９の方からドットを減らして表示するものとする。ドット３０９の方が、枚数０枚になっても、さらにＢＣが小さい場合は、ドット３０８の方も減らして表示する。
【００９９】
実施例２においては、まず一般的にメモリカード等の画像記録媒体は、画像データを転送記録する速度が、メモリー３０のような半導体メモリ−に比べて遅いために、スピードｇは、スピードｈに比べて遅い。つまり実施例１に比べて、画像記録媒体２００の空き容量や、第２の一時記憶手段の空き容量が充分にあるときは、実施例２の方がバースト枚数が大きくなり、撮影者にとってはさらに快適なカメラを実現できる。また、メモリーカードにはいろいろな種類があり、画像の転送記録スピードに違いがある。
【０１００】
遅いメモリーカードの場合、第２の一時記憶手段から、画像記録媒体２００への転送が遅いため、第２の一時記憶手段の空き容量はなかなか増えてこない。この実施例２では、そういった部分もバースト枚数の表示を分けることで、見えてくるため撮影者にとって使いやすく楽しいカメラ及び表示方法を実現したものである。
【実施例３】
【０１０１】
次に本発明の実施例３を説明する。実施例１及び実施例２と同様の部分は説明を省略し、異なる部分のみを説明するものとする。
【０１０２】
実施例３では、実施例２で求められたＢ１、ＢＭに駒速ｋを掛け合わせることによって、連写が何秒継続するかを表示するものである。
ＢＴ１  ←  Ｂ１×ｋ
ＢＴＭ  ←  ＢＭ×ｋ
図６に示すように、３１１は、駒数ではなく連写継続時間を示す、１ｓ、２ｓ、３ｓの数字が表示されており、それぞれ１秒、２秒、３秒の意味である。ドット３０８にはＢＴ１を表示し、ドット３０９には、ＢＴＭを表示している。撮影者は、ドット３０８とドット３０９を足し合わせたものが、バースト連写時間と理解すればよく、この図の場合は、ドット３０８が２．５秒程度で、ドット３０９が６秒程度なので、合わせてバースト連写時間は、３．１秒程度となる。画像記録媒体２００に何駒記憶できるかというＢＣが、ＢＡより小さくなったときは、実施例２と同じような処理で、ドットを減らして行けばよい。
【０１０３】
このように、実施例３では、バースト撮影枚数ではなく、バースト連写時間を表示するようにしているため、スポーツ競技を撮影する場合などで、演技の数秒間を連写するなどの用途にも、撮影者は使いやすいカメラ及び表示方法を実現したものである。
【図面の簡単な説明】
【０１０４】
【図１】本発明の実施例の構成ブロック図である。
【図２】実施例1における主ルーチンの1部のフローチャートである。
【図３】実施例１におけるファインダー内の表示である。
【図４】実施例１におけるファインダー内の表示である。
【図５】実施例２におけるファインダー内の表示である。
【図６】実施例３におけるファインダー内の表示である。
【符号の説明】
【０１０５】
１０：撮影レンズ  １２：シャッター  １４：撮像素子  １６：Ａ／Ｄ変換器
１８：タイミング発生回路  ２０：画像処理回路  ２２：メモリ制御回路
２４：画像表示メモリ  ２６：Ｄ／Ａ変換器  ２８：画像表示部  ３０：メモリ
３２：画像圧縮・伸長回路
４０：露光制御手段  ４２：測距制御手段  ４４：ズーム制御手段
４６：バリア制御手段  ４８：フラッシュ
５０：システム制御回路  ５２：メモリ  ５４：表示部  ５６：不揮発性メモリ
６０：モードダイアルスイッチ  ６２：シャッタースイッチSW1
６４：シャッタースイッチSW2  ６６：画像表示ON/OFFスイッチ
６８：クイックレビューON/OFFスイッチ  ７０：操作部
８０：電源制御手段  ８２：コネクタ  ８４：コネクタ  ８６：電源手段
９０：インタフェース  ９２：コネクタ  ９４：インタフェース  ９６：コネクタ
９８：記録媒体着脱検知手段
１００：カメラの主要ブロック  １０２：保護手段  １０４：光学ファインダー
２００：記録媒体  ２０２：記録部  ２０４：インタフェース  ２０６：コネクタ
【図１】
2005136655.tif 000003
【図２】
2005136655.tif 000004
【図３】
2005136655.tif 000005
【図４】
2005136655.tif 000006
【図５】
2005136655.tif 000007
【図６】
2005136655.tif 000008